(57)【要約】【課題】視聴者の視聴状態を向上させて消費電力を低減させる。【解決手段】画像認識部１６３は、カメラ駆動制御部１６２を介して撮像部１６１が撮像した視聴空間の撮像画像に対して顔検出処理を行って視聴者を特定し、視聴者の視聴距離と視聴位置とを算出して視聴状態向上処理部１３に出力する。視聴状態向上処理部１３は、映像音声処理部１２を介してチューナ１０又は外部映像入力部１１からの映像信号を取得する。視聴状態向上処理部１３は、カメラ部１６から取得した視聴距離に基づいて表示サイズを決定し、視聴位置に基づいて画面の表示エリアを決定する。パネルユニット１５２は、視聴状態向上処理部１３によって決定された表示サイズの大きさで、決定された表示エリアに映像信号に基づく画像を形成する。バックライトユニット１５４は、エリア駆動し、パネルユニット１５２が画像を形成したエリアのバックライトを点灯する。【選択図】図１
2011257702.tif 000002
【特許請求の範囲】
【請求項１】
視聴空間を撮像する撮像手段と、
撮像された画像から視聴者を検出し前記視聴者の視聴距離及び視聴方向を取得する視聴者検出手段と、
取得された前記視聴距離及び前記視聴方向に基づいて画面制御を行う表示制御手段と
を備えたことを特徴とする表示装置。
【請求項２】
前記表示制御手段は、前記視聴距離に基づいて表示画面の表示サイズを変えることを特徴とする請求項１に記載の表示装置。
【請求項３】
前記表示制御手段は、前記視聴方向に基づいて前記表示画面の表示エリアを変えることを特徴とする請求項２に記載の表示装置。
【請求項４】
前記表示制御手段は、前記画像に最適視聴位置を視認可能に合成して表示することを特徴とする請求項１から請求項３までのいずれか一項に記載の表示装置。
【請求項５】
前記表示制御手段は、前記画面制御における所定項目について所定基準値に対する制御量の増減を評価し、評価結果に応じた点数を表示することを特徴とする請求項１から請求項４までのいずれか一項に記載の表示装置。
【請求項６】
リモコンから信号を受信する通信手段と、
取得した前記信号に基づいて前記リモコンの位置情報を取得する位置情報取得手段とを備え、
前記表示制御手段は、前記位置情報に基づいて前記画像に前記リモコンの位置を視認可能に合成して表示する
ことを特徴とする請求項１から請求項５までのいずれか一項に記載の表示装置。
【請求項７】
前記視聴者検出手段は、前記画像に顔検出処理を行って前記視聴者を特定することを特徴とする請求項１から請求項６までのいずれか一項に記載の表示装置。
【発明の詳細な説明】
【技術分野】
【０００１】
本発明は、視聴者を検出して画面調整を行う表示装置に関する。
【背景技術】
【０００２】
近年、テレビジョン受像機（以下、テレビという）は、ブラウン管を用いたブラウン管式テレビからフラットパネルディスプレイを用いた薄型テレビに移行している。薄型テレビは、その特性上、視聴位置における視聴方向及び視聴距離が適切でないと、視聴位置において良好な輝度及び色相等が得られないため、画質が悪く視聴状態が良くない。つまり、快適にテレビを視聴するには、視聴位置が重要な要素となり、テレビと視聴者との間で視聴位置に対する調整が必要となる。
【０００３】
例えば、テレビに近づき過ぎると、良好に視聴できないだけでなく近視になりやすい。これに対し、テレビに温度センサや対人レーダ等の対人センサを設け、視聴者がテレビに一定時間以上一定距離近接したことを検出して、表示サイズの縮小、輝度低下及び音量低減を行ってテレビから遠ざかるよう注意を促し、視聴者がテレビから一定距離遠ざかったことを検出すると、画面制御等を通常状態に戻す技術が知られている（例えば、特許文献１を参照）。
【先行技術文献】
【特許文献】
【０００４】
【特許文献１】特開平０３−１８７６８７号公報
【発明の概要】
【発明が解決しようとする課題】
【０００５】
しかしながら、特許文献１の技術では、テレビに近接していることを注意するために画面制御等を行っており、テレビから遠ざかり過ぎた場合や、テレビに対する視聴方向が悪いときにどうすれば良好に視聴できるのか分からず、視聴者の視聴状態を向上させることができない。
【０００６】
また、このような場合、視聴者は視聴状態を向上させようとして、必要以上の明るさ設定等を行い、テレビの消費電力を増大させる傾向にある。
【０００７】
本発明は上記課題に鑑みてなされたものであり、視聴者の視聴状態を向上させて消費電力を低減させることができる技術を提供することを目的とする。
【課題を解決するための手段】
【０００８】
本発明の表示装置は、視聴空間を撮像する撮像手段と、撮像された画像から視聴者を検出し前記視聴者の視聴距離及び視聴方向を取得する視聴者検出手段と、取得された前記視聴距離及び前記視聴方向に基づいて画面制御を行う表示制御手段とを備えたことを特徴とする。
また、前記表示制御手段は、前記視聴距離に基づいて表示画面の表示サイズを変えてもよい。
また、前記表示制御手段は、前記視聴方向に基づいて前記表示画面の表示エリアを変えてもよい。
また、前記表示制御手段は、前記画像に最適視聴位置を視認可能に合成して表示してもよい。
また、前記表示制御手段は、前記画面制御における所定項目について所定基準値に対する制御量の増減を評価し、評価結果に応じた点数を表示してもよい。
また、リモコンから信号を受信する通信手段と、取得した前記信号に基づいて前記リモコンの位置情報を取得する位置情報取得手段とを備え、前記表示制御手段は、前記位置情報に基づいて前記画像に前記リモコンの位置を視認可能に合成して表示してもよい。
また、前記視聴者検出手段は、前記画像に顔検出処理を行って前記視聴者を特定してもよい。
【発明の効果】
【０００９】
本発明によれば、視聴者の視聴状態を向上させて消費電力を低減させることができる。
【図面の簡単な説明】
【００１０】
【図１】本発明に係る実施形態１のテレビの構成を示す機能ブロック図である。
【図２】本発明に係る実施形態１の視聴距離と表示サイズとを対応付けた表示サイズ表の一例である。
【図３】本発明に係る実施形態１においてエリア分割されたパネルユニットとバックライトユニットとのイメージ図である。
【図４】本発明に係る実施形態１におけるテレビの動作の流れを示すフローチャートである。
【図５】本発明に係る実施形態２の最適視聴位置が表示された画面のイメージ図である。
【図６】本発明に係る実施形態３の視聴者が視聴位置を移動する様子を示した図である。
【図７】本発明に係る実施形態３の視聴位置における点数を示した点数表の一例である。
【図８】本発明に係る実施形態３の視聴位置の移動に伴って点数が変わる様子を示した画面のイメージ図である。
【図９】本発明に係る実施形態４のテレビの構成を示す機能ブロック図である。
【図１０】本発明に係る実施形態４のリモコン位置情報を示した画面のイメージ図である。
【発明を実施するための形態】
【００１１】
＜実施形態１＞
本実施形態のテレビは、視聴空間を撮像するカメラを備えており、カメラで撮像した画像に顔検出処理を行って視聴者を特定し、特定した視聴者の視聴位置における視聴距離及び視聴方向に基づいて画面制御を行う。これにより、視聴者の視聴状態を向上させることができる。また、視聴者の視聴状態を向上させることで、視聴者が必要以上に高い輝度の明るさ設定等を行うことを防止でき、テレビの消費電力を下げることができる。
【００１２】
まず、図１を参照して本実施形態のテレビ１００の構成を説明する。テレビ１００は、チューナ１０と外部映像入力部１１と映像音声処理部１２と視聴状態向上処理部１３と音声出力部１４と表示部１５とカメラ部１６とを備えている。なお、ここでは図示していないが、テレビ１００を遠隔操作するリモコンを備えてもよい。
【００１３】
チューナ１０は、不図示のアンテナやケーブル等を介して、地上波放送やケーブル放送、衛星放送等の放送媒体から放送信号を取得し、選局して復調・誤り訂正等を行って、映像音声信号を映像音声処理部１２に出力する。
【００１４】
外部映像入力部１１は、ブルーレイディスク等の光ディスクやフラッシュメモリ等に記録された映像等を読み込んで映像音声信号を映像音声処理部１２に出力する。
【００１５】
映像音声処理部１２は、チューナ１０又は外部映像入力部１１から取得する映像音声信号を映像信号と音声信号とに分離する。映像音声処理部１２は、音声信号に音質調整や音量調整等を行い、スピーカ等である音声出力部１４から音声を出力させる。また、映像音声処理部１２は、映像信号に所定の画像処理やスケーリング等を行い、映像信号を視聴状態向上処理部１３に出力する。
【００１６】
視聴状態向上処理部１３には、カメラ部１６から視聴者情報が入力される。カメラ部１６は、撮像部１６１とカメラ駆動制御部１６２と画像認識部１６３とを備えている。
【００１７】
撮像部１６１は、レンズ等の光学ユニットやＣＣＤ（Charge Coupled Device）等のＣＣＤユニットで構成され、カメラ駆動制御部１６２により駆動制御されて、視聴空間である部屋の様子を撮像する。撮像部１６１が撮像した撮像画像は、カメラ駆動制御部１６２を介して画像認識部１６３に出力される。撮像部１６１は、例えば、テレビ１００の電源が投入されたときから所定時間毎に撮像を行って、カメラ駆動制御部１６２を介して撮像画像を画像認識部１６３に出力するとよい。
【００１８】
カメラ駆動制御部１６２は、撮像部１６１の撮像方向を上下左右に動かし、広範囲の視聴者が撮像画像に含まれるようにする。この際、カメラ駆動制御部１６２は、複数回、撮像部１６１に撮像を行わせ、撮像された複数の撮像画像を合成して、部屋全体が映った一枚の画像を画像認識部１６３に出力するようにしてもよい。なお、撮像部１６１の撮像視野が広く、部屋全体がその撮像視野に収まる場合は、撮像部１６１が可動不可能であってもよい。
【００１９】
画像認識部１６３は、予め顔の認識パターンを記憶しており、取得した撮像画像に対して顔検出処理を行い、視聴者を特定する。ここで視聴者とは、画面を見ている人間である。画像認識部１６３は、顔検出処理の際に、横や後ろを向いていて画面を見ていない顔を視聴者から除外する。画像認識部１６３は、画面を見ているか否かを判別する際に、カメラ駆動制御部１６２により撮像部１６１をズームさせ、拡大された顔に基づき判別を行ってもよい。撮像画像認識部１６３は、視聴者を特定すると、視聴者の視聴距離と視聴方向とを算出して視聴者情報として視聴状態向上処理部１３に出力する。
【００２０】
ここで、画像認識部１６３は、視聴者の視聴距離について、例えば、デジタルカメラのオートフォーカス機能で一般的なコントラスト検出方式を用いることができる。画像認識部１６３は、顔と認識したエリアのコントラスト比が最大になるように、カメラ駆動制御部１６２に撮像部１６１を制御させ、視聴者毎にピント合わせを行う。画像認識部１６３は、撮像部１６１がピント合わせを行う際の制御量をカメラ駆動制御部１６２から取得し、その制御量に基づいて視聴者の視聴距離（画面から何ｃｍ離れているか等）を求めることができる。
【００２１】
また、各視聴者の視聴方向については、テレビ１００に設けられた撮像部１６１の撮像位置及び撮像方向と撮像された画像内の視聴者の位置とから分かる。ここでは、画像認識部１６３は、視聴方向について、視聴者の顔が表示部１５の画面の中心に対して上下左右にどれだけずれた位置にあるかを検出するものとする。例えば、画像認識部１６３は、画面を複数のエリアに分割したときに、撮像画像中における視聴者の顔の位置が分割されたいずれのエリアに該当するかを判定し、判定したエリア情報（例えば、エリア番号等）を視聴方向の情報として視聴状態向上処理部１３に出力するとよい。
【００２２】
なお、画像認識部１６３は、視聴者を複数検出した場合、各視聴者の視聴距離と視聴方向とを算出し、その平均値を視聴状態向上処理部１３に出力するとよい。また、視聴者を複数検出した場合の処理として、テレビ１００から一番遠い視聴者や一番近い視聴者、また平均値の視聴者におけるいずれの視聴距離や視聴方向を優先するか、視聴者がメニューで選択できるようにしてもよい。
【００２３】
視聴状態向上処理部１３は、画像認識部１６３から取得した視聴者情報に基づいて、視聴者の視聴位置に応じて視聴状態が良くなるように画面制御を行う。具体的には、視聴状態向上処理部１３は、取得した視聴距離と視聴方向とに基づいて、表示部１５における表示サイズ、画面表示エリア、バックライトの点灯範囲を制御する。
【００２４】
まず、視聴状態向上処理部１３は、視聴者の視聴距離に基づいて、表示部１５に表示する表示サイズを決定する。視聴状態向上処理部１３は、予め視聴距離と表示サイズとが対応付けられた表示サイズ表を記憶しており、この表示サイズ表を参照して表示サイズを決定する。
【００２５】
図２は、視聴距離と表示サイズとが対応付けられた表示サイズ表の一例である。この表示サイズ表では、視聴距離が８０ｃｍ以下の場合の表示サイズを１０インチとし、視聴距離が８１ｃｍ〜２００ｃｍの場合の表示サイズを３０インチとし、視聴距離が２００ｃｍ以上の場合の表示サイズを５０インチとして対応付けている。なお、この表示サイズ表は一例であり、さらに細分化して視聴距離と表示サイズとを対応付けてもよいし、視聴者の好みに応じて視聴距離と表示サイズとを設定可能にしてもよい。また、以下では、本実施形態におけるテレビ１００の表示サイズが５０インチであるものとして説明する。
【００２６】
図１に戻り、視聴状態向上処理部１３は、表示サイズを決定すると、視聴者の視聴方向に基づいて、表示部１５に画像を表示する画面表示エリアを決定する。
【００２７】
表示部１５は、パネル駆動部１５１とパネルユニット１５２とバックライト駆動部１５３とバックライトユニット１５４とを備えている。パネルユニット１５２は、パネル駆動部１５１により駆動制御され、画像を形成する。バックライトユニット１５４は、バックライト駆動部１５３により点灯制御され、パネルユニット１５２を照射する。表示部１５は、パネルユニット１５２に形成した画像をバックライトユニット１５４によって照射することで映像の表示を行う。
【００２８】
パネルユニット１５２とバックライトユニット１５４とは、複数のエリアに分割されて制御可能に構成されている。図３は、エリア分割されたパネルユニット１５２とバックライトユニット１５４のイメージ図であり、図３（ａ）がパネルユニット１５２のイメージ図であり、図３（ｂ）がバックライトユニット１５４のイメージ図である。図３（ａ）では、５０インチの表示サイズに対応するパネルユニット１５２の表示面をＡからＹまでの２５エリアに分割した例を示している。また、図３（ｂ）では、同様に５０インチの表示サイズに対応するバックライトユニット１５４の発光面をＡ´からＹ´までの２５エリアに分割した例を示している。
【００２９】
パネルユニット１５２は、例えば、表示サイズが１０インチの場合、縦１ｘ横１の１エリアで構成される表示エリアに画像を形成し、表示サイズが３０インチの場合、縦３ｘ横３の９エリアで構成される表示エリアに画像を形成し、表示サイズが５０インチの場合、すべてのエリアで構成される表示エリアに画像を形成する。例えば、図３（ａ）の太線枠内が３０インチの表示サイズに相当する。
【００３０】
バックライトユニット１５４は、複数の発光体であるＬＥＤ（Light Emitting Diode）等で構成される。バックライトユニット１５４は、パネルユニット１５２の各エリアを照明できるようパネルユニット１５２と同様に２５エリアに分割されている。バックライトユニット１５４は、この分割されたエリア毎に点灯及び調光制御可能である。バックライトユニット１５４のエリアＡ´からエリアＹ´の各エリアは、パネルユニット１５２のエリアＡからエリアＹにそれぞれが対応している。バックライトユニット１５４は、パネルユニット１５２が画像を形成するエリアに対応するエリアのバックライトを点灯する。
【００３１】
視聴状態向上処理部１３は、取得した視聴距離及び視聴方向に基づいて、視聴者の正面に画像を表示するよう表示部１５を制御する。例えば、視聴状態向上処理部１３は、視聴者の視聴距離が８１〜２００ｃｍであり、かつ視聴者の視聴方向に該当するエリアがＱであるとき、図３（ａ）の点線枠内に画像を形成するようパネル駆動部１５１を介してパネルユニット１５２を制御する。点線枠内の表示エリアは、視聴者の視聴距離が８１〜２００ｃｍであるときの表示サイズである３０インチに相当する。また、このときバックライトユニット１５４は、図３（ｂ）のパネルユニット１５２の画像形成エリアに対応する点線枠内の９エリアを点灯し、他のエリアを消灯又は輝度を下げるようにバックライト駆動部１５３により駆動制御される。これにより、視聴者の正面に画像の表示位置を近づけ、視認性を高めるとともに省電力化を図ることができる。なお、パネル駆動部１５１は、パネルユニット１５２の偏光板や液晶配向を視聴方向に合わせて変化させてもよい。
【００３２】
次に、図４を参照してテレビ１００の動作の流れを説明する。
【００３３】
まず、カメラ部１６の撮像部１６１は、カメラ駆動制御部１６２の制御により視聴空間の撮像を行い、撮像した画像を画像認識部１６３に出力する（ステップＳ１０）。画像認識部１６３は、画像に対して顔検出処理を行い、視聴者を特定する（ステップＳ１１）。画像認識部１６３は、特定した視聴者の視聴距離及び視聴方向を取得し、視聴状態向上処理部１３に出力する（ステップＳ１２）。視聴状態向上処理部１３は、視聴距離から表示サイズを決定する（ステップＳ１３）。視聴状態向上処理部１３は、視聴方向から画面表示エリアを決定する（ステップＳ１４）。表示部１５は、決定された画面表示エリアに、決定された表示サイズの大きさの画像を表示する（ステップＳ１５）。以上により、本処理が終了する。
【００３４】
このように、本実施形態のテレビ１００によれば、視聴者を検出し、検出した視聴者の視聴距離及び視聴方向に応じて、表示サイズ及び表示エリアを変えて画面表示を行うので、視聴者の視聴位置に適した画面制御が行え、視聴状態を向上させることができる。また、視聴者の視聴状態が向上するので、視聴者によって必要以上の明るさ設定等がされることを防止でき、省電力化を図ることができる。また、視聴状態向上処理部１３は、視聴距離が近いときに、視聴距離に適するよう表示サイズを小さくし、表示エリア外のバックライトを消灯又は輝度を低下するようエリア駆動させるため、節電を行える。
【００３５】
なお、テレビ１００は、検出した視聴者情報に適した音場調整や、色相や輝度等について画質調整を行ってもよい。また、顔認識部１６３は、予め視聴者の顔を撮像して顔のパターンを登録するとともに、視聴者毎の補足情報を設定できるようにし、補足情報に応じて表示サイズや表示エリアを変えて画面制御を行ってもよい。例えば、パターン認識した顔に近視であるという補足情報が設定されていた場合、表示サイズを大きくするとともに輝度を高めてもよい。
【００３６】
＜実施形態２＞
本実施形態は、カメラ部で撮像された画像に最適視聴位置を合成した画像を画面に表示して、そこに視聴者を誘導することで、視聴状態を向上させ、消電力を図るものである。本来テレビは、最も視聴に適した場所である最適視聴位置で視聴者が視聴するものとして設定されていることが多く、この最適視聴位置での視聴を想定した設定が、最も良い視聴状態を提供でき、かつ視聴状態に対する調整が不要のため消費電力の削減効果が高いからである。
【００３７】
本実施形態では、カメラ部と視聴状態向上処理部とが実施形態１と異なっており、それぞれをカメラ部２６、視聴状態向上処理部２３として説明する。本実施形態のテレビ２００の構成は、図１のテレビ１００と同様でよい。上記実施形態と同様の構成には同一の符号を付し、その説明を省略する。
【００３８】
本実施形態のカメラ部２６は、視聴状態向上処理部２３に撮像画像を出力する。視聴状態向上処理部２３は、取得した撮像画像に最適視聴位置を示す記号を視聴者が視認可能に合成し、合成画像を表示部１５に表示させる。これにより、視聴者は、最適視聴位置を知ることができる。
【００３９】
図５は、画面に表示された合成画像のイメージ図である。図５では、合成画像の略中央に最適視聴位置を示す記号として星印が付加されている。この星印が表示されている位置が、本テレビ２００において、視聴者が最適な輝度及び色相で視聴でき、かつ省電力化を図れる最適視聴位置である。本実施形態では、撮像した実際の部屋の写真に最適視聴位置を示すので、具体的に視聴者がどの位置に移動すればよいのか分かりやすい。例えば、図５では、視聴者はソファの中央に座れば、最適視聴位置で視聴できることが分かる。
【００４０】
このように、本実施形態によれば、視聴者を最適視聴位置に誘導し、視聴状態を向上させるとともに、省電力化を図ることができる。
【００４１】
なお、本実施形態を利用して、部屋の模様替えを行うこともできる。例えば、視聴者のお気に入りの視聴場所であるソファ等を最適視聴位置に合わせて移動させたり、ソファ等の位置が最適視聴位置になるようにテレビ２００自体を移動させたりしてもよい。
【００４２】
＜実施形態３＞
本実施形態は、視聴位置における視聴状態の良好度や省電力化寄与率等を点数表示して、視聴位置によってどれだけ視聴状態や省電力効果が異なるのかを視聴者に知らせるものである。これにより、視聴者に視聴状態や省電力化に対する意識を高めさせ、積極的に視聴状態の向上や省電力化を図らせることができる。なお、上記実施形態と同様の構成には同一の符号を付し、その説明を省略する。本実施形態のテレビ３００の構成は、図１のテレビ１００と同様でよい。本実施形態では、視聴状態向上処理部が実施形態１と異なっており、視聴状態向上処理部３３として説明する。
【００４３】
視聴状態向上処理部３３は、カメラ部１６から取得した視聴者の視聴距離と視聴方向とに基づいて、上記実施形態１で説明した画面制御を行うとともに、表示部１５の画面制御について所定の項目別に評価を行い、その評価結果に応じて点数を付ける。評価方法としては、例えば、表示部１５の画面制御について、明るさや消費電力等の項目別に所定の基準値を設け、表示部１５の画面制御量が基準値に対してどれだけ増減するのか等を評価すればよい。
【００４４】
視聴状態向上処理部３３は、カメラ部１６から取得した視聴者の視聴距離と視聴方向とが前回取得した値と比較して変化した場合、すなわち視聴者が移動した場合、再度点数付けを行う。視聴状態向上処理部３３は、視聴者の移動により点数が変更になった場合、視聴状態を向上させるため、再び表示部１５の表示サイズや表示エリア等を調整する。
【００４５】
図６及び図７は、視聴者の視聴位置と点数との関係を示したイメージ図であり、図６は視聴者が部屋の中をＡからＢに移動する様子を示した図であり、図７は、図６における視聴位置Ａと視聴位置Ｂとのそれぞれの点数を表示したものである。
【００４６】
例えば、図６に示すように、視聴者が、視聴位置Ａから最適視聴位置である視聴位置Ｂに移動したとする。視聴位置Ａは、最適視聴位置と比較すると、画面に近すぎ、また視聴方向が画面横方向である。そのため、表示部１５の画面制御では、表示サイズを小さくし、表示エリアを画面横方向に移動させて表示が行われる。一方、視聴位置Ｂは、最適視聴位置であるから、表示部１５における画面制御がほとんど必要ない。このことから、図７を参照すると、表示部１５には、例えば、視聴位置Ａにおいて、明るさが‘４’、消費電力が‘８’、画質状態が‘２’、・・・、総合点数‘１０点’であり、視聴位置Ｂでは、明るさが‘３’、消費電力が‘２’、画質状態が‘１０’、・・・、総合点数‘１００点’であることが分かる点数表が表示される。この点数表は、視聴している番組等の視認性を妨げないように、画面の隅等にＯＳＤ表示されてもよい。
【００４７】
なお、点数表の代わりに、実施形態２のようにカメラ部２６が撮像した撮像画像を視聴状態向上処理部３３が取得して、撮像画像中に点数を合成して表示部１５に表示させても良い。具体的には、カメラ部２６は、所定時間毎に撮像を行って視聴者を検知し、視聴者の視聴距離及び視聴方向と撮像画像とを視聴状態向上処理部３３に出力する。視聴状態向上処理部３３は、カメラ部２６から視聴距離及び視聴位置と撮像画像とを取得する毎に点数を再計算し、撮像画像に点数を合成して表示部１５に表示させるとよい。
【００４８】
図８（ａ）、（ｂ）は、視聴者が視聴位置Ａから視聴位置Ｂに移動することによって点数が変化する様子を表示した画面例である。図７（ａ）は、視聴者が図６の視聴位置Ａにいるときに表示される画面例であり、図７（ｂ）は、視聴者が図６の視聴位置Ｂにいるときに表示される画面例である。
【００４９】
図８（ａ）には、視聴者の視聴位置における点数として「１０点」が視聴者の上方に表示されている。また、表示画面には、部屋のどの位置に移動すれば点数が良くなるのか、点数が良好になるエリアとやや良好になるエリアとが点線で示されており、良好になるエリアは目立つようにトーンを変えて表示される。
【００５０】
図８（ｂ）では、視聴者が良好なエリアに視聴位置を移動したので、視聴者の上方に「１００点」が表示されている。
【００５１】
このように、本実施形態によれば、視聴位置における点数を表示することで、現在の視聴位置がどれだけ視聴状態が良いかや、省電力であるかを視聴者に客観的に知らせることができるので、より視聴状態の良い場所に移動させ省電力化を図らせることができる。
【００５２】
＜実施形態４＞
本実施形態は、テレビのリモコンを紛失することによる視聴状態の悪化と、視聴状態の悪化に伴う消費電力の増大を防止するものである。一般的に、視聴者はリモコンが見つからない場合、テレビ本体に設けられたボタンを操作して選局操作等を行う。この場合、視聴者の視聴位置がテレビに近寄った位置になりやすいため、視聴状態が悪化するとともに省電力化を図りにくくなる。また、視聴者を最適視聴位置に誘導しにくくなるため、省電力化を促進しにくくなる。
【００５３】
そこで、本実施形態では、テレビがリモコンと定期的に通信を行い、リモコンの位置を画面上に表示して視聴者に知らせる構成を備えている。これにより、視聴者のリモコン紛失を防ぎ、視聴状態の悪化と省電力化への阻害を防ぐことができる。なお、上記実施形態と同様の構成には同一の符号を付し、その説明を省略する。
【００５４】
図９は、本実施形態のテレビ４００の構成を示す機能ブロック図である。本実施形態のテレビ４００は、実施形態１のテレビ１００の構成において、リモコン４８と通信を行うリモコン通信部４７と、リモコン４８の位置情報を表示させるリモコン位置情報表示ボタン４９とが追加されている。
【００５５】
リモコン位置情報表示ボタン４９は、テレビ４００の本体に設けられている。リモコン位置情報表示ボタン４９は、視聴者等によって押下されると、リモコン通信部４７にリモコン４８と通信をさせ、リモコン通信部４７で得たリモコン位置情報をカメラ部４６が撮像した撮像画像に合成して画面に表示させる。
【００５６】
リモコン通信部４７は、送受信駆動部４７１と送信ユニット４７２と受信ユニット４７３とで構成される。送受信駆動部４７１は、リモコン位置情報表示ボタン４９が押下されると、送信ユニット４７２から、リモコン４８からの返信を要求する応答要求信号をリモコン４８に送信する。リモコン４８は、リモコン通信部４７からの応答要求信号を受信すると、返信信号を送信する。受信ユニット４７３は、リモコン４８から送信される返信信号を受信し、その受信状況からリモコン４８が存在する方向を取得し、リモコン位置情報として視聴状態向上処理部４３に出力する。
【００５７】
なお、リモコン４８の方向については、受信ユニット４７３に指向性をもたせ、送受信駆動部４７１により受信ユニット４７３を上下左右方向に動かして、リモコン４８からの返信信号を受信できた方向をリモコン４８の存在する方向として取得することができる。また、受信ユニット４７３がリモコン４８からの返信信号の受信電界強度を検出し、その受信電界強度の強弱に基づいて方向情報を取得することにより、より正確な方向情報を得ることができる。さらに、受信ユニット４７３は、受信電界強度の強弱に基づいてリモコン４８の距離情報を取得し、リモコン４８の方向情報と距離情報とをリモコン位置情報として視聴状態向上処理部４３に出力してもよい。これによれば、さらにより正確にリモコン４８の位置が分かる。リモコン位置情報の精度については、受信ユニット４７３の指向性の幅を狭くし、受信電界強度の測定分解能を高くするほど正確にすることができる。
【００５８】
また、カメラ部４６は、カメラ駆動制御部４６２によって受信ユニット４７３の受信方向と同方向に撮像部１６１の撮像方向を動かし、撮像した撮像画像を視聴状態向上処理部４３に出力する。
【００５９】
視聴状態向上処理部４３は、リモコン通信部４７から取得したリモコン位置情報をカメラ部４６から取得した撮像画像に合成して表示部１５に表示させる。
【００６０】
図１０は、視聴空間を撮像した画像にリモコン４８の位置情報を合成して表示した画面のイメージ図である。図１０では、リモコン４８の位置情報に基づいてリモコン４８が存在する可能性が低い範囲を斜線で表している。図１０では、机の足元にリモコン４８があることが分かる。
【００６１】
このように、本実施形態では、撮像した画像中にリモコン４８の位置情報を示すので、具体的に部屋のどの場所を探せばよいのか分かりやすい。また、冷暖房器具用やオーディオ用等の他のリモコン４８が部屋の中に複数存在している場合でも、目的とするテレビ４００用のリモコン４８を簡易に探すことができる。
【００６２】
なお、カメラ部４６は、画像認識部４６３により撮像画像にリモコン４８の画像パターンがないか画像認識処理を行わせ、リモコン４８の撮像画像中の位置情報と撮像画像とを共に視聴状態向上処理部４３に出力してもよい。この場合、視聴状態向上処理部４３は、リモコン通信部４７から取得したリモコン位置情報とカメラ部４６から取得したリモコン位置情報とに基づいて、撮像画像にリモコン４８の位置情報を合成して表示させてもよい。なお、撮像部１６１は、視聴空間全体が撮像視野に収まる程度の広い撮像視野を有するのであれば、可動不可能な構成であってもよい。
【００６３】
また、リモコン通信部４７は、何らかの原因でリモコン４８から返信信号を受信できない場合、正常に取得した最後のリモコン位置情報によるリモコン４８の場所とその時間を表示する。例えば、「現在は通信ができない場所にリモコンがありますが、１０分前はこの場所にありました。」とメッセージを表示し、最後のリモコン位置情報を示した撮像画像を表示部１５に表示させる。
【００６４】
また、リモコン通信部４７は、リモコン位置情報表示ボタン４９が押された場合以外にも、例えば５秒に１回等、定期的にリモコン４８と通信を行ってもよい。この場合、テレビ４００は、リモコン４８と通信ができなくなった時点でメッセージや音声等による警告を行い、リモコン４８の紛失を予防するとよい。
【００６５】
このように、本実施形態によれば、リモコン４８の紛失を防ぐことで、テレビ４００本体が直接操作されることによる視聴状態の悪化や省電力化の阻害を防ぐことができる。
【００６６】
以上、本発明は上述した実施の形態に限定されるものではなく、本発明の趣旨を逸脱しない範囲で種々様々に変更が可能であることは言うまでもない。例えば、自動車に搭載されるカーナビに適用することで、カーナビの画面を見ている視聴者に合わせて自動的に画面制御を行うことができる。
【符号の説明】
【００６７】
１０…チューナ
１１…外部映像入力部
１２…映像音声処理部
１３、２３、３３、４３…視聴状態向上処理部
１４…音声出力部
１５…表示部
１６、２６、３６、４６…カメラ部
４７…リモコン通信部
４８…リモコン
４９…リモコン位置情報表示ボタン
１００、２００、３００、４００…テレビ
１５１…パネル駆動部
１５２…パネルユニット
１５３…バックライト駆動部
１５４…バックライトユニット
１６１…撮像部
１６２、４６２…カメラ駆動制御部
１６３、４６３…画像認識部
４７１…送受信駆動部
４７２…送信ユニット
４７３…受信ユニット
【図１】
2011257702.tif 000003
【図２】
2011257702.tif 000004
【図３】
2011257702.tif 000005
【図４】
2011257702.tif 000006
【図５】
2011257702.tif 000007
【図６】
2011257702.tif 000008
【図７】
2011257702.tif 000009
【図８】
2011257702.tif 000010
【図９】
2011257702.tif 000011
【図１０】
2011257702.tif 000012